(57)【特許請求の範囲】
【請求項１】
撮像素子を有し、該撮像素子が動作できる最短フレーム周期以上の読み出し周期を持つ撮影画像の画像信号を生成する撮像手段と、
前記画像信号の時間軸方向のフィルタ処理を行うことで、前記画像信号に基づく画像の動解像度を低下させるディジタル低域フィルタと、
前記フィルタ処理を行うことにより得られた画像信号に対してフレーム間引き処理を行い、所望の出力フレーム周期の画像信号を生成する間引き処理手段と、
前記撮像手段での画像信号の生成動作と前記ディジタル低域フィルタのフィルタ特性と前記撮像手段での読み出し動作と前記間引き処理手段でのフレーム間引き処理動作を制御する制御手段を有し、
前記制御手段は、前記出力フレーム周期が、前記最短フレーム周期の２倍の範囲内であるとき、間引きを行わないものとして読み出し周期を可変させ、前記出力フレーム周期が、前記最短フレーム周期のｎ（ｎは２以上の正の整数）倍より大きく、かつ前記最短フレーム周期の（ｎ＋１）倍以下の場合であるとき、前記撮像手段からの読み出し周期が前記出力フレーム周期の１／ｎ倍となるよう前記撮像手段を制御し、前記間引き処理手段がｎフレーム毎にフレーム間引き処理を行なうよう前記間引き処理手段を制御する
撮像装置。
【請求項２】
前記ディジタル低域フィルタは、１フレーム遅延手段を有し、
前記画像信号を「ＤＶｂ」、前記１フレーム遅延手段の出力を「ＤＶｆ」とした際に、
「（１―ｋ）×ＤＶｂ＋ｋ×ＤＶｆ」（ｋは０から１の範囲内の係数）の演算結果を前記１フレーム遅延手段に入力するとともに前記ディジタル低域フィルタの出力とする
請求項１記載の撮像装置。
【請求項３】
撮像素子が動作できる最短フレーム周期以上の読み出し周期を持つ撮影画像の画像信号を生成する第１のステップと、
前記画像信号の時間軸方向のフィルタ処理を行うことで、前記画像信号に基づく画像の動解像度を低下させる第２のステップと、
前記第２のステップより得られた画像信号に対してフレーム間引き処理を行い、所望の出力フレーム周期の画像信号を生成する第３のステップとを有し、
前記出力フレーム周期が、前記最短フレーム周期の２倍の範囲内であるとき、第３のステップにおいて間引きを行わないものとして読み出し周期を可変させ、前記出力フレーム周期が、前記最短フレーム周期のｎ（ｎは２以上の正の整数）倍より大きく、かつ前記最短フレーム周期の（ｎ＋１）倍以下の場合には、前記第１のステップにおいて前記読み出し周期を前記出力フレーム周期の１／ｎ倍とし、前記第３のステップにおいてｎフレーム毎にフレーム間引きを行なう
撮像方法。
【請求項４】
前記第２のステップでは、１フレーム遅延手段を用い、
前記画像信号を「ＤＶｂ」、前記１フレーム遅延手段の出力を「ＤＶｆ」とした際に、
「（１―ｋ）×ＤＶｂ＋ｋ×ＤＶｆ」（ｋは０から１の範囲内の係数）の演算結果を前記１フレーム遅延手段に入力するとともに前記第２のステップの出力とする
請求項３記載の撮像方法。
【発明の詳細な説明】
【技術分野】
【０００１】
この発明は、撮像装置と撮像方法に関する。詳しくは、撮影画像の画像信号に対してディジタル低域フィルタを用いて時間軸方向のフィルタ処理やフィルタ処理が行われた画像信号に対してフレーム間引き処理を行い所望のフレーム周期の画像信号を得るものである。
【背景技術】
【０００２】
従来の映画製作等では、フィルムビデオカメラが用いられている。このフィルムビデオカメラでは、図６に示すように、回転する円盤状のシャッタ８０における開放部以外のところにミラー８１が装着されており、ミラー８１の光軸上に撮像レンズ７０と光学的ビューファインダ用のグランド・グラス８２が置かれている。ここで、シャッタ８０が開放部の位置とされているときには、撮影画像がフィルム８３上に結像されてフィルム８３が感光されるとともに、光学的ビューファインダでの撮影画像表示は停止される。また、シャッタ８０が非開放部の位置であるときにフィルム８３のコマ送りが行われるとともに、ミラー８１によって撮影画像が光学的ビューファインダのグランド・グラス８２上に表示される。
【０００３】
ここで、シャッタの開いている時間を調整することで露光時間を調整したり、フィルムのコマ送り速度を可変させて、特殊な映像効果を得ることができるように成されている。例えば、コマ送り速度を速くして高速度で撮影した画像を通常の速度で再生すれば、水面に水滴が落下したときのような高速度動作も容易かつ詳細に観察できる。また、コマ送り速度を遅くして低速度で撮影した画像を通常の速度で再生すれば、格闘シーンの臨場感を高めたり、カーチェイスでのスピード感を高めることができる。
【０００４】
また、テレビジョン番組制作等では、番組の撮影や編集及び送出等のディジタル化が図られているが、ディジタル技術の進展に伴う高画質化や機器の低価格化に伴い、映画製作等においてもディジタル化が進められている。
【０００５】
ここで、固体撮像素子例えばＣＣＤ(Charge Coupled Device)を用いたビデオカメラを使用して撮影を行う場合、固体撮像素子の電子シャッター機能を利用して露光時間を制御すればフィルムビデオカメラにおけるシャッタ開口時間制御を模倣することができる。また、固体撮像素子からの信号の読み出しに要する時間を制御することで、フィルムビデオカメラにおけるフィルム送り時間間隔制御を模倣することができる。さらに、電子ビューファインダでは、固体撮像素子から読み出した信号に基づいて画像表示が行われることから、光学的ビューファインダのように、画像が途切れることがなく見やすい画像を表示できる。
【発明の開示】
【発明が解決しようとする課題】
【０００６】
ところで、低速度撮影を行うものとした場合、固体撮像素子では電子シャッター機能を利用して露光時間を制御することで図７ａに示すように露光を行い、読み出しに要する時間を図７ｂに示すように長くすることで、得られる画像の時間間隔が長くなり、低速度撮影画像を得ることができる。
【０００８】
しかし、固体撮像素子では、光電変換を行うフォトセンサ部で暗電流と呼ばれる雑音成分が発生することが知られており、露光時間を長くすると撮影画像の信号だけでなく暗電流も露光時間に比例して大きくなる。このため、図８に示すように露光時間が長くなるに伴いダイナミックレンジの余裕が少なくなり、例えば被写体の輝度が高いときには、撮影画像の信号が飽和して輝度の高い部分がつぶれてしまい、階調の再現性が良好な撮影画像を得ることができない。また、ダイナミックレンジの余裕を多くするため、照明を暗くしたり撮影レンズの絞りを調整して固体撮像素子に入射する光量を少なくすると、暗電流のレベルが変わることなく撮影画像の信号だけが小さくなるのでＳ／Ｎ比の劣化を招く。このため、ノイズの少ない良好な画質の撮影画像を得ることができない。
【０００９】
またＣＣＤでは、フォトセンサ部で光電変換によって発生された電荷を読み出すための転送線で発生する暗電流やスメア等の雑音成分が、信号の読み出しにかかる時間に比例して大きくなる。このため、読み出しに要する時間を長くすると、これらの影響によって更にダイナミックレンジの余裕が少なくなりＳ／Ｎ比も劣化してしまう。
【００１０】
そこで、この発明では、低速撮影時でもダイナミックレンジの余裕度の低下を防止できるとともに、Ｓ／Ｎ比の劣化を招くことなく良好な撮影画像を得ることができる撮像装置と撮像方法を提供するものである。
【課題を解決するための手段】
【００１１】
この発明に係る撮像装置は、撮像素子を有し、該撮像素子が動作できる最短フレーム周期以上の読み出し周期を持つ撮影画像の画像信号を生成する撮像手段と、画像信号の時間軸方向のフィルタ処理を行うことで、画像信号に基づく画像の動解像度を低下させるディジタル低域フィルタと、フィルタ処理を行うことにより得られた画像信号に対してフレーム間引き処理を行い、所望の出力フレーム周期の画像信号を生成する間引き処理手段と、撮像手段での画像信号の生成動作とディジタル低域フィルタのフィルタ特性と撮像手段での読み出し動作と間引き処理手段でのフレーム間引き処理動作を制御する制御手段を有し、制御手段は、出力フレーム周期が、最短フレーム周期の２倍の範囲内であるとき、間引きを行わないものとして読み出し周期を可変させ、出力フレーム周期が、最短フレーム周期のｎ（ｎは２以上の正の整数）倍より大きく、かつ最短フレーム周期の（ｎ＋１）倍以下の場合であるとき、撮像手段からの読み出し周期が出力フレーム周期の１／ｎ倍となるよう撮像手段を制御し、間引き処理手段がｎフレーム毎にフレーム間引き処理を行なうよう間引き処理手段を制御するものである。
【００１２】
また、この発明に係る撮像方法は、撮像素子が動作できる最短フレーム周期以上の読み出し周期を持つ撮影画像の画像信号を生成する第１のステップと、画像信号の時間軸方向のフィルタ処理を行うことで、画像信号に基づく画像の動解像度を低下させる第２のステップと、第２のステップより得られた画像信号に対してフレーム間引き処理を行い、所望の出力フレーム周期の画像信号を生成する第３のステップとを有し、出力フレーム周期が、最短フレーム周期の２倍の範囲内であるとき、第３のステップにおいて間引きを行わないものとして読み出し周期を可変させ、出力フレーム周期が、最短フレーム周期のｎ（ｎは２以上の正の整数）倍より大きく、かつ最短フレーム周期の（ｎ＋１）倍以下の場合には、第１のステップにおいて読み出し周期を出力フレーム周期の１／ｎ倍とし、第３のステップにおいてｎフレーム毎にフレーム間引きを行なうものである。
【００１３】
この発明においては、撮像手段で生成された画像信号に対して、ディジタル低域フィルタを用いて時間軸方向のフィルタ処理を行うことにより画像の動解像度が低下されると共に、ディジタル低域フィルタの係数を変更して動解像度の低下量が調整可能とされる。また、この動解像度の低下された画像信号に対して、出力フレーム周期が、最短フレーム周期の２倍の範囲内であるとき、間引きを行わないものとして読み出し周期を可変させ、出力フレーム周期が、撮像素子が動作できる最短フレーム周期のｎ（ｎは２以上の正の整数）倍より大きく、かつ最短フレーム周期の（ｎ＋１）倍以下の場合には、読み出し周期を出力フレーム周期の１／ｎ倍とし、ｎフレーム毎にフレーム間引きが行われて、出力フレーム周期の動解像度が低下された画像信号が出力される。
【発明の効果】
【００１４】
この発明によれば、画像信号に対してディジタル低域フィルタで時間軸方向のフィルタ処理を行うことで、画像信号に基づく画像の動解像度が低下されるとともに、フィルタ処理を行った画像信号に対して、出力フレーム周期が、最短フレーム周期の２倍の範囲内であるとき、間引きを行わないものとして読み出し周期を可変させ、出力フレーム周期が、撮像素子が動作できる最短フレーム周期のｎ（ｎは２以上の正の整数）倍より大きく、かつ最短フレーム周期の（ｎ＋１）倍以下の場合には、読み出し周期を出力フレーム周期の１／ｎ倍とし、ｎフレーム毎にフレーム間引きが行われて、出力フレーム周期の動解像度が低下された画像信号が出力される。このため、Ｓ／Ｎ比やダイナミックレンジの余裕の減少を抑えることができる。
【発明を実施するための最良の形態】
【００１７】
以下、図を参照しながら、この発明の実施の一形態について説明する。図１はビデオカメラの構成を示している。撮像レンズ１０を通して入射された光は、撮像部１１に入射されて、撮像面上に被写体画像が結像される。撮像部１１は固体撮像素子例えばＣＣＤを用いて構成されており、光電変換によって得られた被写体画像に基づく信号を後述する駆動部５２からの駆動信号ＲＣに基づいて読み出し、撮影画像の三原色撮像信号Ｓpaを生成して前処理部１２に供給する。
【００１８】
前処理部１２では、撮像信号Ｓpaからノイズ成分を除去する処理、例えば相関二重サンプリング処理を行い、ノイズ除去された撮像信号Ｓpaを撮像信号ＳpbとしてＡ／Ｄ変換部１３に供給する。Ａ／Ｄ変換部１３では、撮像信号Ｓpbをディジタルの画像信号ＤＶaに変換してフィードバッククランプ部１４に供給する。フィードバッククランプ部１４では、ブランキング期間の黒レベル信号と基準信号との誤差を検出してＡ／Ｄ変換部１３に供給することで、安定した黒レベルで所要の大きさの画像信号ＤＶaを得ることが出来るように、Ａ／Ｄ変換動作を制御する。補正処理部１５では、画像信号ＤＶaに対してシェーディング補正や撮像素子の欠陥に対する補正処理等を行う。この補正処理部１５で補正処理が行われた画像信号ＤＶaは、画像信号ＤＶbとして速度対応処理部２０に供給される。
【００１９】
図２は、速度対応処理部２０の構成を示している。補正処理部１５から供給された画像信号ＤＶbは、ディジタル低域フィルタ２１の減算器２１１と加算器２１３及びスイッチ２３の端子ａに供給される。減算器２１１には、後述する１フレーム遅延回路２１４から画像信号ＤＶfが供給されており、画像信号ＤＶfから画像信号ＤＶbを減算する。この減算器２１１で得られた減算信号ＤＶcは乗算器２１２に供給される。
【００２０】
乗算器２１２には、制御部５０から露光時間の長さ調整と同様な効果が得られるようにフィルタ特性を調整するための係数ｋが供給されており、減算信号ＤＶcに係数ｋを乗算する。この乗算器２１２で得られた乗算信号ＤＶdは加算器２１３に供給される。
【００２１】
加算器２１３では、補正処理部１５から供給された画像信号ＤＶbと乗算器２１２から供給された乗算信号ＤＶdを加算して画像信号ＤＶeを生成する。この加算器２１３で得られた画像信号ＤＶeは、１フレーム遅延回路２１４とフレーム間引き回路２２及びスイッチ２３の端子ｂに供給される。
【００２２】
１フレーム遅延回路２１４では、画像信号ＤＶeを１フレーム遅延させて画像信号ＤＶfとして減算器２１１に供給する。フレーム間引き回路２２では、制御部５０からの間引き制御信号ＣＴaに基づきフレームの間引きを行い、所望のコマ数の画像信号ＤＶgを生成して図１の本線側信号処理部３１に供給する。スイッチ２３の可動端子ｃは、図１のモニタ側信号処理部４１と接続されており、制御部５０からの制御信号ＣＴbに基づき、画像信号ＤＶbあるいは画像信号ＤＶeのいずれかを選択して画像信号ＤＶhとしてモニタ側信号処理部４１に供給する。
【００２３】
本線側信号処理部３１では、画像信号ＤＶgに対してビデオカメラ出力に対するγ処理や輪郭補償処理を行うとともに、ニー補正処理等の処理も行う。この信号処理が行われた画像信号ＤＶgは、画像信号ＤＶjとして本線側信号出力処理部３２に供給される。
【００２４】
本線側信号出力処理部３２では、画像信号ＤＶjをビデオカメラに接続される機器に応じた信号ＣＭoutに変換して出力する。例えば、コンポーネント信号に対応した機器やコンポジット信号に対応した機器が接続される場合には、それぞれの機器に応じた信号ＣＭoutに変換して出力する。またＳＭＰＴＥ２９２Ｍとして規格化されているシリアルディジタルインタフェース等を介して画像信号を伝送する場合には、インタフェース規格に応じた伝送信号を生成して信号ＣＭoutとして出力する。
【００２５】
モニタ側信号処理部４１では、画像信号ＤＶhに対してγ処理や輪郭補償処理等を行うとともに、ニー補正処理等の処理を行う。ここで、モニタ側信号処理部４１では、撮影画像をモニタするために用いる画像表示装置に応じた信号処理を行う。例えば画像表示装置が、陰極線管を用いて構成されたものであるかあるいは液晶表示素子を用いて構成されたものであるかに応じて、γ補正特性やニー補正特性及び輪郭補償特性等を切り換える。このモニタ側信号処理部４１で信号処理が行われた画像信号ＤＶhは、画像信号ＤＶkとしてモニタ側信号出力処理部４２に供給される。
【００２６】
モニタ側信号出力処理部４２では、供給された画像信号ＤＶkを、撮影画像モニタ用の画像表示装置に応じた信号ＭＴoutに変換して出力する。例えば画像表示装置がアナログ信号を用いるものであるときには、画像信号ＤＶkをアナログ信号に変換して信号ＭＴoutとして出力する。
【００２７】
制御部５０には、操作部５１が接続されており、操作部５１をビデオカメラのユーザが操作すると、ユーザの操作に応じた操作信号ＰＳが操作部５１から制御部５０に供給される。制御部５０では、この操作信号ＰＳに基づいて各種の制御信号ＣＴを生成して各部の動作を制御することにより、ビデオカメラをユーザの操作に応じて動作させる。また制御部５０では、操作部５１で撮影速度やシャッタ開口時間の切り換えが行われたとき、切り換えられたシャッタ開口時間に応じた係数ｋを速度対応処理部２０に供給して、切り換えられたシャッタ開口時間に応じて動解像度が低下された画像の画像信号を速度対応処理部２０で生成させる。また、撮像部１１での信号読み出しフレーム周期を設定する制御信号ＴＣを切り換えられた撮影速度に応じて生成して駆動部５２に供給すると共に、切り換えられた撮影速度に応じて制御信号ＣＴa，ＣＴbを生成して速度対応処理部２０に供給する。この駆動部５２では、制御部ＴＣに基づき駆動信号ＲＣを生成して撮像部１１に供給することで、設定されたフレーム周期で信号の読み出しを行い、速度対応処理部２０では、制御信号ＣＴa，ＣＴbに基づいてフレーム間引きや信号の選択を行い、本線側信号出力処理部３２から切り換えられた撮影速度に応じた画像信号を出力させると共に、モニタ側信号出力処理部４２からは、ユーザの操作に応じた画像信号を出力させる。
【００２８】
次に動作について説明する。図２に示す速度対応処理部２０において、画像信号ＤＶbとディジタル低域フィルタ２１で時間軸方向のフィルタ処理を行って得られた画像信号ＤＶeの関係は式（１）に示すものとなり、振幅特性は角周波数ω＝０のときの振幅を「１」に正規化すると、角周波数ωに対して式（２）に示すものとなる。なお、画像信号ＤＶbのフレーム周期を「Ｔ」としたとき、角周波数ωは「ω＝π／Ｔ」である。
【００２９】
【数１】
0004415196.tif 000002
【００３０】
この速度対応処理部２０のディジタル低域フィルタ２１におけるフィルタ特性おいて、係数ｋを「０」〜「１」の範囲内で可変してステップ応答を求めると図３に示す特性となり、係数ｋが大きくなるに伴い応答が緩やかとなる。また、周波数特性も図４に示すように、係数ｋが大きくなるに伴い帯域が狭くなる。すなわち、係数ｋが大きくなるに伴い画像信号ＤＶeに基づく画像では残像が多くなるとともに高域成分が失われて、露光時間を長くした場合と同様な動解像度の低下した画像となる。すなわち、ディジタル低域フィルタ２１でのフィルタ特性を調整して、画像信号ＤＶbのフィルタ処理を行うことにより、シャッタ開口時間を調整して所望の露光時間としたときの撮影画像と同様な画像の画像信号を生成できる。すなわち、ディジタル低域フィルタ２１の係数ｋを変更することで、シャッタ開口時間調整を模倣することができる。
【００３１】
このため、低速度撮影時には、露光時間を長くして動解像度が低下させた場合と同様な画像の画像信号ＤＶeを得られるようにディジタル低域フィルタ２１の係数ｋを変更して動画像の低下量を調整する。
【００３２】
さらに、フレーム間引き回路２２では、撮影速度に応じて画像信号ＤＶeに対するフレーム間引きを実施する。このフレーム間引き回路２２でフレーム間引きを行うとともに、間引き数を調整することで所望のフレーム周期の画像信号を得ることができる。すなわち、フレーム間引き回路２２によってコマ数可変機能を模倣することができる。
【００３３】
このように、フレーム間引き回路２２でフレーム間引きを行うとともに間引き数を調整することで、フレーム間引き回路２２からは、露光時間が長く動解像度が低下した場合と同様な画像であるとともに所望のフレーム周期の画像信号ＤＶgを出力させることができる。
【００３４】
また、スイッチ２３の可動端子ｃを端子ａに設定して画像信号ＤＶbを画像表示装置に供給すれば、動解像度が低下していないとともにフレーム間引きの行われていない画像を表示できるので、被写体を正しく追従して低速度撮影を行うことができる。さらに、可動端子ｃを端子ｂに設定して画像信号ＤＶeを画像表示装置に供給すれば、画像表示装置の表示画像によって動解像度がどの程度低下しているかも確認できる。
【００３５】
例えば図５に示すように、撮像部１１の固体撮像素子では図５Ａ及び図５Ｂに示すようにフレーム周期Ｆaで露光及び信号の読み出しを行い、速度対応処理部２０のフレーム間引き回路２２では、図５Ｃに示すように４フレーム当たり３フレームの間引きを行うものとすると、本線側信号処理部３１に供給される画像信号ＤＶgは、フレーム周期が「Ｆa／４」であるとともに、係数ｋに基づき露光時間を長くした場合と同様な動解像度が低下した画像の画像信号となる。
【００３６】
また、スイッチ２３の可動端子ｃを端子ａ側として画像信号ＤＶbを選択すると、画像モニタ用の画像表示装置には、図５Ｄに示すように、フレーム周期が「Ｆa」であるとともに動解像度の低下していない画像を表示させることができる。さらに、スイッチ２３の可動端子ｃを端子ｂ側として画像信号ＤＶeを選択すれば、フレーム周期が「Ｆa」であるとともに本線側信号処理部３１に供給された画像信号ＤＶeに基づく画像がどの程度だけ動解像度が低下されているか確認できる。
【００３７】
低速度撮影を行わない場合には、係数ｋを「０」に設定するとともにフレーム間引き回路２２では間引きを行わないものとする。このときには、画像信号ＤＶbと画像信号ＤＶeが等しいとともに、間引きが行われないことから、本線側信号処理部３１とモニタ側信号処理部４１には画像信号ＤＶbが供給されることとなり、所定のフレームレート画像の信号ＣＭoutをビデオカメラから出力できる。また、動解像度の低下していない画像を画像表示装置に表示させることができる。さらに、固体撮像素子からの信号読み出し動作を制御することで電子シャッタ機能を働かせるものとすれば、露光時間を短くできるので、高速撮影も可能となる。
【００３８】
ところで、上述のビデオカメラでは、フレーム間引き回路２２での間引き数を可変することで、所望のフレームレートの信号ＣＭoutを生成するものとしたが、フレーム間引き数だけでなく、制御信号ＴＣによって撮像部１１での信号読み出しフレーム周期を可変して所望のフレームレートの信号を生成させることもできる。
【００３９】
この場合、撮像部１１での信号読み出しフレーム周期が、撮像素子で動作できる最短フレーム周期の所定倍を超えることが無いように、間引き数の切り換えと撮像部１１での信号読み出しフレーム周期の切り換えを行う。例えば、信号ＣＭoutのフレーム周期（以下「出力フレーム周期」という）Ｔoが撮像素子で動作できる最短フレーム周期Ｔminの２倍の範囲内（Ｔmin＜Ｔo≦２Ｔmin）であるときには、間引きを行わないものとして、撮像部１１での信号読み出しフレーム周期Ｔiを可変させて、所望のフレームレートの信号を生成する。次に、出力フレーム周期Ｔoが最短フレーム周期Ｔminの２倍を超え３倍以内（２Ｔmin＜Ｔo≦３Ｔmin）であるときには、信号読み出しフレーム周期Ｔiを１／２倍して、２フレーム毎に間引きを行う。出力フレーム周期Ｔoが最短フレーム周期Ｔminの３倍を超え４倍以内（３Ｔmin＜Ｔo≦４Ｔmin）であるときには、信号読み出しフレーム周期Ｔiを１／３倍して、３フレーム毎に間引きを行う。以下同様に、出力フレーム周期Ｔoが最短フレーム周期Ｔminのｎ（ｎは２以上の正の整数）倍を超え（ｎ＋１）倍以内（ｎＴmin＜Ｔo≦(n+1)Ｔmin）であるときには、信号読み出しフレーム周期Ｔiを１／ｎ倍して、ｎフレーム毎に間引きを行うものとすると、信号読み出しフレーム周期Ｔiを常に短い状態とすることができる。
【００４０】
このようにして、出力フレーム周期Ｔoを長くしても信号読み出しフレーム周期Ｔiは所定の周期よりも長くならないので、出力フレーム周期Ｔoが長くなると共に撮像部１１での暗電流やスメア等の影響も大きくなってしまうことがなく、撮像部１１からの信号のＳ／Ｎ比の劣化や撮像部１１でのダイナミックレンジの余裕減少を抑えることができる。また、信号読み出しフレーム周期を長くすることで間引きされるフレーム数も少なくできる。さらに、電子ビューファインダーで撮影画像をモニタするために、スイッチ２３の可動端子ｃを端子ａ側として画像信号ＤＶbを選択した場合、画像信号ＤＶbのフレーム周期は所定の周期よりも長くなることが無いので、動解像度の低下も抑えることができる。
【図面の簡単な説明】
【００４１】
【図１】ビデオカメラの構成を示す図である。
【図２】速度対応処理部の構成を示す図である。
【図３】ステップ応答特性を示す図である。
【図４】周波数特性を示す図である。
【図５】低速度撮影での動作を示す図である。
【図６】フィルムビデオカメラの動作を示す図である。
【図７】読み出し時間を長くすることで低速度撮影を行った場合を示す図である。
【図８】短時間露光と長時間露光でのダイナミックレンジ余裕を示す図である。
【符号の説明】
【００４２】
１０，７０・・・撮像レンズ、１１・・・撮像部、１２・・・前処理部、１３・・・Ａ／Ｄ変換部、１４・・・フィードバッククランプ部、１５・・・補正処理部、２０・・・速度対応処理部、２１・・・ディジタル低域フィルタ、２２・・・フレーム間引き回路、２３・・・スイッチ、３１・・・本線側信号処理部、３２・・・本線側信号出力処理部、４１・・・モニタ側信号処理部、４２・・・モニタ側信号出力処理部、５０・・・制御部、５１・・・操作部、５２・・・駆動部、８０・・・シャッタ、８１・・・ミラー、８２・・・グランド・グラス、８３・・・フィルム、２１１・・・減算器、２１２・・・乗算器、２１３・・・加算器、２１４・・・フレーム遅延回路
【図１】
0004415196.tif 000003
【図２】
0004415196.tif 000004
【図３】
0004415196.tif 000005
【図４】
0004415196.tif 000006
【図５】
0004415196.tif 000007
【図６】
0004415196.tif 000008
【図７】
0004415196.tif 000009
【図８】
0004415196.tif 000010